(57)【要約】【課題】  仕切りリブが優れた防水効果を有する仕切り付き紙製弁当箱を提供する。【解決手段】  箱体は、収納空間１３を有する。仕切りリブは、収納空間１３の区域を区分けするように箱体の収納空間１３の中に貼り付けられ、かつその少なくとも一つの側に箱体の上に貼り付けられる連接部を有する。連接部が仕切りリブの内部に折り返された後、箱体の上に貼り付けられる。連接部は折り返され、箱体の欠け口１５の受け継ぎ部と連接されるため、仕切りリブの周縁断面を仕切りリブ主体の内部に隠すことができ、隔離層の防水効果により水分が紙材質に浸入するという欠点を避けることが可能である。【選択図】    図３
0003103650.tif 000002
【実用新案登録請求の範囲】
【請求項１】
収納空間を有する箱体と、
収納空間の区域を区分けするように箱体の収納空間の中に貼り付けられ、かつその少なくとも一つの側に箱体の上に貼り付けられる連接部を有する少なくとも一つの仕切りリブとを備え、
連接部が仕切りリブの内部に折り返され、箱体の上に貼り付けられていることを特徴とする仕切り付き紙製弁当箱。
【請求項２】
箱体は、中空の欠け口が形成され、欠け口の周縁に少なくとも一つの外に向かう受け継ぎ部が形成され、仕切りリブの連接部と連接していることを特徴とする請求項１に記載の仕切り付き紙製弁当箱。
【請求項３】
仕切りリブは、仕切りリブ主体及び仕切りリブ主体の側縁部から延伸される連接部を有し、連接部が仕切りリブ主体の内部に折り返され、箱体の上に貼り付けられていることを特徴とする請求項１に記載の仕切り付き紙製弁当箱。
【請求項４】
連接部は、仕切りリブの内部に折り返されることで、その周縁の断面が仕切りリブの内部に隠されること特徴とする請求項１に記載の仕切り付き紙製弁当箱。
【考案の詳細な説明】
【技術分野】
【０００１】
本考案は、紙製弁当箱に関し、特に、仕切り付き紙製弁当箱に関するものである。
【背景技術】
【０００２】
一般周知の紙製弁当箱は、弁当箱を仕切り、多種類の食べ物を混ぜずに盛り合わせるために、図１に示すように、箱体１内に少なくとも一つの独立の仕切りリブ２を配置することによって、空間を区分けする効果を達成する。しかし、仕切りリブ２が防水効果を持たないと、食べ物の水分が各仕切りリブ２中に浸透し、各区分リブ２の軟化が発生する。したがって、仕切りリブ２は紙板３及び紙板３の外側周囲の上に塗布或は積層方法により隔離層４を設けることによって構成され、隔離層４はポリエチレン（ＰＥ）或はポリプロピレン（ＰＰ）等の防水材から製造されることで、隔離層４により水分が紙板３に浸入することを防ぐ効果をあげられるが、仕切りリブ２は適当に裁断したり、折ったりする作業を通らないと、所定の形状にならず、貼り付けができず、また、仕切りリブ２の裁断された周縁の断面の上には紙板３が外部に露出して（図２に示す）外界に接触するため、仕切りリブ２は箱体１に貼り付けられた後、外部に露出する紙板３が食べ物の水分ｗの浸入により軟化するとともに、使用者に不便を感じさせる。
【考案の開示】
【考案が解決しようとする課題】
【０００３】
本考案の主な目的は、仕切りリブが防水効果に優れる仕切り付き紙製弁当箱を提供することにある。
【課題を解決するための手段】
【０００４】
上述の目的を達成するために、本考案による仕切り付き紙製弁当箱は、収納空間を有する箱体と、収納空間の区域を区分けするように箱体の収納空間の中に貼り付けられる少なくとも一つの仕切りリブとを備え、そのうちの仕切りリブが少なくとも一つの側に箱体の上に貼り付けられる連接部を有するものであり、その特徴は、連接部が仕切りリブの内部に折り返された後、箱体の上に貼り付けられることである。
【考案を実施するための最良の形態】
【０００５】
以下、本考案の実施例を図面に基づいて説明する。
図３に示すのは、本考案による一実施例の組合せの立体図である。
図４に示すのは、図３による実施例の断面図である。
【０００６】
図面に示すように、本考案の一実施例による仕切り付き紙製弁当箱１００は、下記通り、含むものであり、箱体１０（注：箱体１０は従来周知の構造であるため、説明を概略する）は、アメリカ食品薬物管理局（ＦＤＡ）の規定に従う繊維１００パーセントから構成されるかまたは塗布或いは積層などの方法でほかの添加剤（例えば、ポリエチレン（ＰＥ）或はポリプロピレン（ＰＰ）等）を加えることにより構成される防水紙板を適当な設計により裁断して所定の様態折れ目の通りに押し付け、そして、折れ目を合わせ折って熱圧で接着することによって形成されるものである。
【０００７】
図３に示すように、箱体１０は熱圧で接着されたら、箱底１１と、箱底１１の四辺周縁に直立して連接する四つの箱壁１２と、箱底１１及び箱壁１２から構成され、かつ開口が上を向く収納空間１３と、そのうちの一つの箱壁１２の自由端に連接する箱蓋１４とが形成される。箱蓋１４の面積が収納空間１３の面積より大きいため、箱蓋１４を折り畳むことによって、収納空間１３を封じることが可能であり、且つ箱底１１及び箱壁１２の所定の位置には中空の欠け口１５が形成され、各欠け口１５の周縁は外に向かう受け継ぎ部１６を有する。
【０００８】
仕切り構造２０は、アメリカ食品薬物管理局（ＦＤＡ）の規定に従う繊維１００パーセントから構成されるかまたは塗布或いは積層方式でほかの添加剤（例えば、ポリエチレン（ＰＥ）或はポリプロピレン（ＰＰ）等）を加えることにより構成される防水紙板である。防水紙板は紙材質２０ａと、紙材質２０ａの外部を被覆する隔離層２０ｂとを有し、かつ適当な設計により裁断されて所定の様態折れ目の通りに押し付けられることによって、仕切りリブ２０が形成される。
【０００９】
図３及び図４に示すように、仕切りリブ２０は、仕切りリブ主体２１及び連接部２２を備える。そのうちの連接部２２が、仕切りリブ主体２１の側縁部から延伸して形成され、仕切り主体２１に向かい合うように折り返されることで、仕切りリブ２０を箱体１０の開口から収納空間１３中に置くことができ、そして、折り返す方法で連接部２２がリブ主体２１の内部に折られ、連接部２２が欠け口１５周縁に近隣する受け継ぎ部１６上に貼り付けられ（即ち、連接部２２を箱底１１及び箱壁１２上に位置付けされる受け継ぎ部１６と貼り付け）、収納空間１３が仕切りリブ２０により区分けされて二つの副収納空間１３１及び副収納空間１３２を形成することで、異なる食べ物を盛り合わせることが可能である。
【００１０】
以上、本実施例による紙製弁当箱１００の構造について説明した。次に、本実施例の長所について説明する。
【００１１】
本実施例による連接部２２は、折り返され、箱体１０の欠け口１５の受け継ぎ部１６と連接されるため、仕切りリブ２０の周縁断面を仕切りリブ主体２１の内部に隠すことができ（図４に示す）、そして、副収納空間１３１及び副収納空間１３２中の食べ物の水分ｗが仕切りリブの周辺に流れる時、隔離層２０ｂの防水効果により水分ｗが紙材質２０ａに浸入するという欠点を避けることが可能である。
【００１２】
また、箱底の受け継ぎ部と貼り付ける連接部を折り返し、箱壁の受け継ぎ部と貼り付ける連接部を折り返さずに直接に箱壁の上に貼り付けることで、水分のもっとも浸入しやすい箱底の周辺が防水効果を有することが可能であり、かつ水分の比較的に浸入しにくい箱壁の周辺では、簡易な方法で直接に貼り付けることで、水分の浸入を防止する効果を達成するだけでなく、仕切りリブの貼り付け方法を簡易にすることが可能である。
【００１３】
また、本実施例は、単一仕切りリブにより表示されるものであるが、実際に使用者の需要に応じて並列または交差する複数の仕切りリブを設置し、弁当箱の多様性を増進することが可能である。
【図面の簡単な説明】
【００１４】
【図１】従来の紙製弁当箱の分解斜視図である。
【図２】従来の紙製弁当箱の断面図である。
【図３】本考案の一実施例による仕切り付き紙製弁当箱を示す斜視図である。
【図４】本考案の一実施例による仕切り付き紙製弁当箱を示す断面図である。
【符号の説明】
【００１５】
１０  箱体、１１  箱底、１２  箱壁、１３  収納空間、１４  箱蓋、１５  欠け口、１６  受け継ぎ部、２０  仕切りリブ、２１  仕切りリブ主体、２２  連接部、１００  仕切り付き紙製弁当箱、１３１  副収納空間、１３２  副収納空間
【図１】
0003103650.tif 000003
【図２】
0003103650.tif 000004
【図３】
0003103650.tif 000005
【図４】
0003103650.tif 000006